(57)【要約】      （修正有）【課題】屋外設置の非常用具収納箱において、悪戯や盗難等の恐れがない収納箱の構造を提供する。【解決手段】飲料自動販売機に隣接して設置する空飲料容器収納箱１の上部空間に非常用具収納箱２を配置して災害時に備える。該容器収納箱１は下部が空飲料容器収納箱３で上部が非常用具収納箱２である。下部の空飲料容器収納箱は自動販売機の商品展示面と同一面に空飲料容器投入口３−１を有する開閉扉を有し、上部の非常用具収納箱には表面上は開閉口を有していないように見える。その為、非常用具収納箱の扉には係止するためのＬ型の凸部を有し、それに対応する本体部には凹部が配置してあって凸部を凹部に挿入後、扉を押し下げて嵌合係止する。【選択図】図１
0003162536.tif 000002
【実用新案登録請求の範囲】
【請求項１】
空飲料容器収納箱の上位部に非常用具収納箱が接続配置されている事を特徴とする空飲料容器収納箱。
【請求項２】
前記、請求項１記載の空飲料容器収納箱で、開閉口が空飲料容器収納箱と非常用具収納箱のそれぞれに具備している事を特徴とする空飲料容器収納箱。
【請求項３】
前記、請求項１、２記載の空飲料容器収納箱で、非常用具収納箱の開閉を正面扉で行うが、表面上には開閉口が不詳である事を特徴とする空飲料容器収納箱。
【請求項４】
前記、請求項３記載の空飲料容器収納箱で、本体と扉に対応して設けた凹部に凸部を挿入し、凸部に配置した切り込みを凹部の一辺に嵌合させることで係止する事を特徴とする空飲料容器収納箱。
【考案の詳細な説明】
【技術分野】
【０００１】本考案は非常用具収納箱を具備した空飲料容器収納箱に関する。
【背景技術】
【０００２】災害等の非常時のために非常用具の備蓄は大事なことである。非常用具は多岐にわたるが、緊急時の避難場所に倉庫を確保して資材や、道具を少量備蓄しているのが現実である。予算や倉庫の確保等、様々な困難があって十分な備蓄に歩を進めない状態が続いている。いつ発生するか予測することはできないが、地震国のわが国では確実に起きるといわれる大地震をはじめとする自然災害に対して潜在的な恐怖を抱きながら過ごしている。できれば、生活の場に近い所で、避難できる場所の屋外に非常用具の確保を目指す時、悪戯や盗難の問題が発生する心配があり、この問題への対応が急がれる課題である。
【先行技術文献】
【特許文献】
【０００３】
【特許文献１】特開２００４−３１０３００
【実用新案文献１】
登録第３１５１９９６号
【考案の概要】
【考案が解決しようとしている課題】
【０００４】地震などの非常時に備えて水や食料、トイレ、ロープ、テントなどの非常用具を公の場所に備蓄するが、殆どが広域避難場所の備蓄倉庫である。それでも備蓄しているといえど十分と言える量の確保は難しく、非常時には避難場所に辿り着けるかどうかもわからない。そこで、広範囲に数多く設置してある飲料用自動販売機の空き缶容器収納箱の上部に、非常用具の保管庫を具備したものを世に出して、生活に密着した場に備える提案をしている。ところが、自動販売機が屋外に設置してある場合に、悪戯や盗難等の被害にあう恐れがある。そこで、悪戯や盗難を防止できて、非常時には簡便に開口できる保管庫の提供が切望されていた。
【課題を解決するための手段】
【０００５】上記の課題を解決すべく本考案者らは鋭意検討した結果、上記の課題は次のような手段によって解決することがわかった。
即ち、飲料自動販売機に隣接して設置する空飲料容器収納箱の上部空間に非常用具収納箱を配置して災害時に備える。該容器収納箱は下部が空飲料容器収納箱で上部が非常用具収納箱である。下部の空飲料容器収納箱は自動販売機の商品展示面と同一面に空飲料容器投入口を有する開閉扉を有し、上部の非常用具収納箱には表面上は開閉口を有していないように見える。その為、非常用具収納箱の扉には係止するためのＬ型の凸部を有し、それに対応する本体部には凹部が配置してあって凸部を凹部に挿入後、扉を押し下げて嵌合係止する態様で上記課題を解決できることがわかった。
【考案の効果】
【０００６】本考案は飲料自動販売機に隣接して設置する空飲料容器収納箱の上部に非常用具収納箱を配置し、該非常用具収納箱に非常用具を備蓄して設置することで、地震などの非常時の対応に安心を提供できるようになった。従来は、非常用具は避難場所に備蓄していたが、飲料自動販売機に隣接した空飲料容器収納箱の上部に配置したことで、生活に近接した場所での非常時の要求に対応できるようになった。又、非常用具収納箱の開閉方法は表面的にはネジや取っ手、鍵等がないので分からない構造にしてある。特に、屋外に設置した自動販売機に隣接配置した空飲料容器収納箱の上部に配置した非常用具収納箱の収納物を悪戯や盗難から守ることができるようになった。これにより、非常用具の備蓄が広範囲にしかも屋外でも可能になったことから、人々の非常時への安心を与えることに寄与できる。
【図面の簡単な説明】
【０００７】
【図１】は空飲料容器収納箱に非常用具収納箱を具備したものの正面図である。
【図２】は非常用具収納箱の本体の正面図である。
【図３】は非常用具収納箱の本体の側面図である。
【図４】は非常用具収納箱の本体の差し込み部の拡大図である。
【図５】は非常用具収納箱の扉部の裏側正面図である。
【図６】は非常用具収納箱の扉部の側面図である。
【図７】は非常用具収納箱の扉部の差し込み部の拡大図である。
【考案を実施するための形態】
【０００８】本考案は、飲料自動販売機に隣接して設置する空容器収納箱を使い易く、美観良く、然も上部の空間に非常用具収納箱を配置した。つまり、下部は空飲料容器収納箱で上部は非常用具収納箱である。下部の空飲料容器収納箱は前面扉に容器投入穴を１〜３か所備えている。上部の非常用具収納箱は底面を隔壁として、下部の空飲料容器収納箱と仕切られる構造で、開閉口を前面に配置しているが、開閉扉には鍵やネジ、コック等が存在せず開閉方法が分かり難い構造となっている。具体的には、本体の凹部に扉部の凸部を挿入後、凸部の溝を情報から下方に押し込んで嵌合させることで、通常は開閉方法が不詳であるが、予め開閉方法の知見を持つ人にとっては簡単に開口できて非常用具を取り出せる態様である。このように、上部に位置する非常用収納箱２は底面を隔壁として，下部の空飲料容器収納箱３と仕切られている。非常用具収納箱２は本体部２−１と扉部２−３で構成する。箱の寸法は４００ｍｍ〜９００ｍｍ×９００ｍｍ〜１２００ｍｍ×５００〜９００ｍｍで材質は鋼板、アルミニウム、ステンレス等で高耐食性等が要求される場所では必要に応じて塗装を施す態様である。
最終的な形態は図３の状態となる。
【実施例１】
【０００９】以下、本考案を図面を用いて詳細に説明する。
図１は本考案の空飲料容器収納箱１の外観正面図である。
飲料自動販売機に隣接して設置する事が多いため、併設して美観を損なわず非常時には確実に非常用具の確保ができる態様である。【００１０】図１は空飲料容器収納箱１の正面図である。空飲料容器収容箱１は６００ｍｍ×１，８３０ｍｍ×７４０ｍｍで非常用具収納箱２は６００ｍｍ×１，０００ｍｍ×７４０ｍｍで、材質は鋼板に焼き付け塗装を施したものを使用した。図２は非常用収納箱２の本体部２−１の正面図で左辺と右辺にそれぞれ二か所ずつの凹部を配した。四か所の凹部２−２の寸法は３ｍｍ×４０ｍｍの長方形状に鋼板を抜いた状態である。扉部２−３は収納箱２の正面に合致する寸法で、本体への挿入嵌合部は図７のＬ型にして挿入部２−４の長さ２−５は３０ｍｍ、挿入の深度２−６は２０ｍｍで嵌合部の幅は２ｍｍで深度２−７は１３ｍｍとした。本体部と扉部の挿入嵌合部は扉が閉時で合致する位置にある態様である。本考案の非常用具収納箱に３年保存可能な５００ｍｌ入りの飲料水１００本、高カロリー食料３００箱、携帯トイレ１５０セット、ポンチョ１５枚を納めて蓋の凸部を本体の凹部に挿入し、その後蓋を下方に引き下げるとピッタリと嵌合する。この状態での空飲料容器収納箱１を自動販売機に隣接して設置すると両者の高さが同一で美観も良く、違和感がない。この状態で、１５歳から６８歳までの２０人の男性に非常用具収納箱２の扉の開口をテストしたが、開口できたのは２名であった。この事から、非常用具収納箱２は開閉用の鍵や取っ手を配置していないので、開閉の知見を持っていなければ開口できにくいことが証明できた。
【実施例２】
【００１１】実施例１と同一寸法、同一構造、同一素材で非常用具箱を製作した。違う点は扉の上部二か所にコインで取り外せるネジ２−８を取り付け付加した。この際、ネジ２−８の頭頂部は扉面と同一高にし、扉部の前面には該ネジが隠れるように避難地図、避難場所の案内を添付した。この非常用具箱を使って扉の開口テストを行った。１８歳から７０歳までの男性１５人が開口に挑戦したが、誰も開口できなかった。この事からネジ止めと嵌合と隠ぺいの組み合わせで、収容物をほぼ守れることが分かった。予め必要な人に知見を与えておけば、非常時の開口に困ることはない。
【産業上の利用可能性】
【００１２】飲料自動販売機に隣接して、しかも身近な場所に非常用具が常時備蓄してあればどれだけの安心と利便性があるだろうか。空飲料容器収納箱の上部に非常用具収納箱を具備したものを生活の場に備蓄することで、大きな安心が得られる。この際、特に外部に設置した時に悪戯や盗難の心配があるが、非常用具収納箱の扉の開口を予め知見のない人には開口でき難くしたことで、設置場所が飛躍的に拡大した。
【符号の説明】
【００１３】１        ：空飲料容器収納箱
２        ：非常用具収納箱
２−１    ：非常用具収納箱の本体部
２−２    ：非常用具収納箱の凹部
２−３    ：非常用具収納箱の扉部
２−４    ：非常用具収納箱のＬ型凸部
２−５    ：Ｌ型凸部の長さ
２−６    ：Ｌ型凸部の挿入深度
２−７    ：Ｌ型凸部の嵌合深度
２−８    ：ネジ止め部
３        ：空き缶収容箱
３−１    ：空き缶投入口
【図１】
0003162536.tif 000003
【図２】
0003162536.tif 000004
【図３】
0003162536.tif 000005
【図４】
0003162536.tif 000006
【図５】
0003162536.tif 000007
【図６】
0003162536.tif 000008
【図７】
0003162536.tif 000009
【手続補正書】
【提出日】平成22年6月18日(2010.6.18)
【手続補正１】
【補正対象書類名】実用新案登録請求の範囲
【補正対象項目名】請求項２
【補正方法】変更
【補正の内容】
【請求項２】
請求項１記載の空飲料容器収納箱で、開閉口が空飲料収納箱と非常用具収納箱のそれぞれに具備されている事を特徴とする空飲料容器収納箱
【手続補正２】
【補正対象書類名】実用新案登録請求の範囲
【補正対象項目名】請求項３
【補正方法】変更
【補正の内容】
【請求項３】
請求項１または２記載の空飲料容器収納箱で、非常用具収納箱の開閉は正面扉を着脱することで行う事を特徴とする空飲料容器収納箱
【手続補正３】
【補正対象書類名】実用新案登録請求の範囲
【補正対象項目名】請求項４
【補正方法】変更
【補正の内容】
【請求項４】
請求項３記載の空飲料容器収納箱で、非常用具収納箱の本体に設けた凹部に、扉に設けた凸部を挿入嵌合して本体と扉を係止することを特徴とする空飲料容器収納箱
【手続補正４】
【補正対象書類名】図面
【補正対象項目名】全図
【補正方法】変更
【補正の内容】
【図１】
0003162536.tif 000010
【図２】
0003162536.tif 000011
【図３】
0003162536.tif 000012
【図４】
0003162536.tif 000013
【図５】
0003162536.tif 000014
【図６】
0003162536.tif 000015
【図７】
0003162536.tif 000016